(57)【要約】【課題】リサイクル品およびＲＦＩＤの回収率を上げ、分別の種類毎に設置された回収ボックスに正しくリサイクル品が投入されるようにする。【解決手段】リサイクル品１００を持参してスーパーマーケット等に訪れた客が店内端末１１の会員カード挿入部１３に会員カードを挿入すると、表示部１２に「回収ボックスに入れてください」と表示されるので、回収ボックス３１，４１，５１のうち持参したリサイクル品１００の分別の種類に対応するものにそれを投入する。回収ボックス３１，４１，５１の内部に設けられたリーダはリサイクル品１００のＲＦＩＤ１０１に記録されたリサイクル情報や価格情報等の商品情報を読み取り店内端末１１に供給する。店内端末１１は回収ボックス３１，４１，５１のうち、リサイクル品１００の分別の種類とは異なる他の分別の種類に対応するものに投入された場合、エラー報知を行い警告する。【選択図】図１
2006016119.tif 000002
【特許請求の範囲】
【請求項１】
ＲＦＩＤが貼付されたリサイクル品を回収するための各分別の種類に対応する回収ボックスと、
前記回収ボックス内に設けられ、前記回収ボックスに投入された前記リサイクル品に貼付された前記ＲＦＩＤから、少なくとも前記リサイクル品の分別の種類を示すリサイクル情報と価格を示す価格情報とからなる商品情報を読み取る読み取り手段と、
前記読み取り手段によって読み取られた前記商品情報に含まれる前記分別の種類と、前記リサイクル品が投入された前記回収ボックスの分別の種類とが一致するか否かを判定する判定手段と、
前記判定手段による判定結果に基づいてエラー報知を行う報知手段と
を備えることを特徴とするリサイクル品回収システム。
【請求項２】
更に、前記価格情報に基づくポイントを算出するポイント算出手段と、該ポイント算出手段により算出された前記ポイントを所定の記録媒体に記録する記録手段と
を備えることを特徴とする請求項１記載のリサイクル品回収システム。
【発明の詳細な説明】
【技術分野】
【０００１】
本発明は、リサイクル品回収システムに関し、ＲＦＩＤが貼付されたリサイクル品を回収するリサイクル品回収システムに関する。
【背景技術】
【０００２】
従来より、スーパーマーケット等では、食品売り場の出入り口付近等に分別の種類毎に専用の回収ボックスを設置して、リサイクル可能な容器、例えば、牛乳パック、ペットボトル、肉等を入れる食品用トレー等のリサイクル品を分別回収している。回収したこれらのリサイクル品は、リサイクル業者に引き渡し、リサイクルを行っている。
また、非接触でデータの読み取りおよび書き込みが可能なＩＣ（ｉｎｔｅｇｒａｔｅｄ  ｃｉｒｃｕｉｔ）カードを使用して、顧客が駐車場に入る際に入庫時刻をＩＣカードに書き込み、各店で商品を購入した際に購入金額に応じたポイント数および累積ポイント数をＩＣカードに書き込み、駐車場から出る際にＩＣカードに出庫時刻を書き込み、書き込まれた入庫時刻および出庫時刻から駐車時間を算出し、この駐車時間に基づいて顧客が負担すべき駐車料金を算出するとともに、割引き駐車料金をポイント数に応じて各店に負担させる駐車料金精算システムが知られている（例えば、特許文献１）。
【特許文献１】特開平９−７３５６４号公報
【発明の開示】
【発明が解決しようとする課題】
【０００３】
しかしながら、背景技術では、リサイクル品の回収は、消費者の善意によって行われているため、回収率が悪いという問題があった。また、回収ボックスに分別の種類が異なるリサイクル品が投入されること、例えば、ペットボトルの回収ボックスに牛乳パックが投入されることもあり、正しく分別されているか否かを再確認する必要があった。さらに、スーパーマーケットにおいて分別されたリサイクル品は、リサイクル業者において手作業により材質や色等に応じてより細かに分別する必要があり、煩雑でコストがかかるという問題があった。
また、非接触でデータの読み取りおよび書き込みが可能なＩＣカードを利用して、商品を購入した際に購入金額に応じたポイント数および累積ポイント数をＩＣカードに書き込み、そのポイント数を考慮して駐車料金の精算を行うものがあるが、リサイクル品の回収を促進し、回収されたリサイクル品に貼付されたＲＦＩＤに記録されている価格情報に基づいてポイントを付与するようなシステムはなかった。
【０００４】
本発明はこのような状況に鑑みてなされたものであり、リサイクル品の回収率を上げるとともに、分別の種類が異なる回収ボックスにリサイクル品が投入されることを抑制し、回収コストを削減することができるようにするものである。
【課題を解決するための手段】
【０００５】
請求項１に記載のリサイクル品回収システムは、ＲＦＩＤが貼付されたリサイクル品を回収するための各分別の種類に対応する回収ボックスと、回収ボックス内に設けられ、回収ボックスに投入されたリサイクル品に貼付されたＲＦＩＤから、少なくともリサイクル品の分別の種類を示すリサイクル情報と価格を示す価格情報とからなる商品情報を読み取る読み取り手段と、読み取り手段によって読み取られた商品情報に含まれる分別の種類と、リサイクル品が投入された回収ボックスの分別の種類とが一致するか否かを判定する判定手段と、判定手段による判定結果に基づいてエラー報知を行う報知手段とを備えることを特徴とする。
また、更に、価格情報に基づくポイントを算出するポイント算出手段と、該ポイント算出手段により算出されたポイントを所定の記録媒体に記録する記録手段とを備えるようにすることができる。
【発明の効果】
【０００６】
本発明のリサイクル品回収システムによれば、リサイクル品およびＲＦＩＤの回収率を上げることができる。また、分別の種類毎に設置された回収ボックスに分別の種類が異なるリサイクル品が投入されることを抑制することができ、回収コストを削減することができる。
また、リサイクル品の回収時に所定の記録媒体に価格情報に基づくポイントを記録することで、リサイクル品の回収率を上げる事ができる。
【発明を実施するための最良の形態】
【０００７】
図１は、本発明のリサイクル品回収システムの一実施の形態の構成例を示す図である。同図に示すように、本実施の形態は、店内端末１１と、回収ボックス（ＢＯＸ）３１，４１，５１とから構成されている。店内端末１１は、各種メッセージを表示するための表示部１２と、図示しない会員カードを挿入するための会員カード挿入部１３と、各部を制御する制御部２０（図２）とから構成されている。会員カードは、ＩＣチップとアンテナ等からなるＲＦＩＤ（Ｒａｄｉｏ  Ｆｒｅｑｕｅｎｃｙ−Ｉｄｅｎｔｉｆｉｃａｔｉｏｎ）、または磁気記録部などのデータを記憶することができる記憶部を備え、会員ＩＤや後述する総ポイント数等の会員情報を記憶することができるようになっている。
【０００８】
各回収ボックス３１，４１，５１は、それぞれリサイクル品の分別の種類に対応しており、各分別の種類に対応するリサイクル品１００が顧客によって投入されることが想定されており、後述するように、異なる分別の種類のリサイクル品が投入されたとき、店内端末１１によってエラー報知が行われるようになっている。また、各リサイクル品１００には、リサイクル品１００の商品名と、分別の種類（ペットボトル、牛乳パック、かん等）、材質（プラスチック、アルミ等）、色等のリサイクル情報と、価格情報等からなる商品情報が記録されたＲＦＩＤ１０１が貼り付けられている。
【０００９】
店内端末１１に接続された回収ボックス３１，４１，５１は、それぞれ蓋３３，４３，５３を開けてリサイクル品１００を投入することができるようになっている。
【００１０】
リサイクル品１００に貼付されているＲＦＩＤ１０１は、図示しないＩＣチップとアンテナ等により構成されており、ＩＣチップには、商品名、リサイクル情報、および価格情報等からなる商品情報が記録されている。また、回収ボックス３１の内側の蓋の取り付け部の近傍にはリーダ３２が設けられており、回収ボックス３１に投入されたリサイクル品１００に貼付されたＲＦＩＤ１０１に記録されている商品情報を読み取り、店内端末１１に供給することができるようになっている。複数のリサイクル品１００が投入された場合には、投入された全ての商品情報が読み取られ、店内端末１１に供給される。
【００１１】
同様に、回収ボックス４１の内側の蓋の取り付け部の近傍にはリーダ４２が設けられており、回収ボックス４１に投入されたリサイクル品１００のＲＦＩＤ１０１に記録されている商品情報を読み取り、店内端末１１に供給することができるようになっている。また、回収ボックス５１の内側の蓋の取り付け部の近傍にはリーダ５２が設けられており、回収ボックス５１に投入されたリサイクル品１００のＲＦＩＤ１０１に記録されている商品情報を読み取り、店内端末１１に供給することができるようになっている。
【００１２】
図２は、店内端末１１の電気的な構成例を示すブロック図である。同図に示すように、店内端末１１は、各部を制御する制御部２０と、各種情報を表示する表示部１２と、会員カード挿入部１３より挿入された会員カードのＩＣチップまたは磁気記録部に対して会員ＩＤや総ポイント数等の会員情報の書き込みおよび読み取りを行う会員カードリードライト部１４とから構成され、店内端末１１には回収ボックス３１，４１，５１がそれぞれ接続されている。
【００１３】
制御部２０は、制御プログラムを記憶するＲＯＭ（Ｒｅａｄ  Ｏｎｌｙ  Ｍｅｍｏｒｙ）２２と、ＲＯＭ２２に記憶されている制御プログラムに従って動作し、各部を制御するＣＰＵ（Ｃｅｎｔｒａｌ  Ｐｒｏｃｅｓｓｉｎｇ  Ｕｎｉｔ）２１と、ＣＰＵ２１が各種処理を実行する上で必要となる各種データを記憶するＲＡＭ（Ｒａｎｄｏｍ  Ａｃｃｅｓｓ  Ｍｅｍｏｒｙ）２３と、表示部１２が接続されたインタフェース２４と、会員カードリードライト部１４を制御する会員カードリードライト制御部２５と、回収ボックス３１のリーダ３２、回収ボックス４１のリーダ４２、回収ボックス５１のリーダ５２をそれぞれ制御し、リーダ３２，４２，５２によって読み取られた各リサイクル品１００のＲＦＩＤ１０１に記録されている商品情報をそれぞれ受け取り、ＣＰＵ２１に供給する読取制御部２６とから構成されている。
【００１４】
次に、本実施の形態の動作について説明する。リサイクル品１００を持ってスーパーマーケットを訪れた顧客は、店内端末１１が設置されている場所に移動し、会員カードを会員カード挿入部１３に挿入する。次に、回収ボックス３１，４１，５１のうち、持参したリサイクル品１００の分別の種類に対応するものにそのリサイクル品１００を投入する。例えば、リサイクル品１００がペットボトルであり、回収ボックス４１がペットボトル専用の回収ボックスである場合、顧客は回収ボックス４１の蓋４３を開けてその中にペットボトルを投入する。
【００１５】
次に、顧客は、レジカウンターにて店内で購入した商品の代金の精算を行う。その際、図示しない読み取り装置により、複数の商品のそれぞれに貼付されているＲＦＩＤ１０１からそれぞれの価格情報が一括して読み取られ、購入した複数の商品の合計金額が計算される。
【００１６】
以下、店内端末１１の処理手順について、図３のフローチャートを参照して説明する。まず、ステップＳ１において、制御部２０のＣＰＵ２１により、会員カード挿入部１３に会員カードが挿入されたか否かが判定される。会員カード挿入部１３には、図示せぬセンサが設けられており、会員カードが挿入されたとき、ＣＰＵ２１に対して会員カードが挿入されたことが通知される。従って、ＣＰＵ２１は、センサからの通知の有無により会員カードが挿入されたか否かを判定することができる。その結果、会員カード挿入部１３に会員カードが挿入されたと判定された場合、ステップＳ２に進む。一方、会員カード挿入部１３に会員カードが挿入されていないと判定された場合、ステップＳ１に戻り、ステップＳ１以降の処理が繰り返し実行される。
【００１７】
ステップＳ２においては、ＣＰＵ２１により、メッセージ「回収ボックスにリサイクル品を入れてください」を表示するための表示データが生成され、インタフェース２４を介して表示部１２に供給される。表示部１２は、ＣＰＵ２１よりインタフェース２４を介して供給された表示データに対応するメッセージ「回収ボックスにリサイクル品を入れてください」を表示部１２に表示する。
【００１８】
次に、ステップＳ３において、顧客は、表示部１２に表示されたメッセージ「回収ボックスにリサイクル品を入れてください」を確認すると、持参したリサイクル品１００を回収ボックス３１，４１，５１のうち、リサイクル品１００の分別の種類に対応するものに投入する。複数のリサイクル品１００を持参した場合、回収ボックス３１，４１，５１のうち各リサイクル品の分別の種類に対応するものにそれぞれ投入する。ここでは、リサイクル品１００が回収ボックス４１に投入されたものとする。このようにしてリサイクル品１００が回収される。
【００１９】
次に、ステップＳ４において、回収ボックス４１の内部に設けられたリーダ４２は、回収ボックス４１に投入されたリサイクル品１００に貼付されているＲＦＩＤ１０１と通信を行い、ＲＦＩＤ１０１に記憶されている商品情報を読み取り、店内端末１１の制御部２０の読取制御部２６に供給する。読取制御部２６は、回収ボックス４１のリーダ４２から供給された商品情報をＣＰＵ２１に供給する。ＣＰＵ２１は、読取制御部２６より供給された商品情報を一旦ＲＡＭ２３に供給し、記憶させる。
【００２０】
次に、ステップＳ５において、ＣＰＵ２１は、読取制御部２６より供給された商品情報に含まれるリサイクル情報に基づいて、回収ボックス４１に投入されたリサイクル品１００の分別の種類と回収ボックス４１の分別の種類とが一致するか否かが判定される。例えば、リサイクル品１００の分別の種類が「ペットボトル」である場合、この例では、回収ボックス４１の分別の種類も「ペットボトル」であるので、リサイクル品１００の分別の種類と回収ボックス４１の分別の種類とが一致し、リサイクル品１００はその分別の種類に該当する回収ボックス４１に投入されたと判断される。一方、リサイクル品１００の分別の種類が「牛乳パック」である場合、リサイクル品１００の分別の種類と回収ボックス４１の分別の種類とが一致せず、リサイクル品１００はその分別の種類に該当しない回収ボックス４１に投入されたと判断される。ＣＰＵ２１は、各回収ボックス３１，４１，５１毎に、その分別の種類を示すデータをＲＯＭ２２に保持しており、このデータに基づいて上記判定を行うようになっている。
【００２１】
ステップＳ５において、リサイクル品１００の分別の種類と回収ボックス４１の分別の種類とが一致しないと判定された場合、ステップＳ１０に進み、所定のエラー報知が行われる。即ち、ＣＰＵ２１は、所定のエラーメッセージを表示するための表示データを生成し、インタフェース２４を介して表示部１２に供給する。この表示データを受け取った表示部１２は、表示データに対応するエラーメッセージ（例えば、「分別の種類が間違っています」等）を表示する。或いは、ＣＰＵ２１は、図示しないブザーを鳴動させて、エラーが発生したことを顧客に知らせ、警告する。エラー報知により、顧客は間違いを認識し、回収ボックス３１，４１，５１のうち、リサイクル品１００の分別の種類に対応するものに正しく投入することができる。
【００２２】
一方、ステップＳ５において、リサイクル品１００の分別の種類と回収ボックス４１の分別の種類とが一致すると判定された場合、ステップＳ６に進む。ステップＳ６においては、ＣＰＵ２１は、顧客によって回収ボックス４１に投入されたリサイクル品１００のＲＦＩＤ１０１に記憶されている価格情報（ステップＳ４においてＲＡＭ２３に記憶された商品情報に含まれる）から、ＲＦＩＤ１０１が貼付されているリサイクル品１００の価格に対応するポイント数を演算する。リサイクル品が複数投入された場合は、リサイクル品１００の価格の合計金額を算出し、この合計金額からポイント数を演算する。このポイント数は、予め設定されている価格（リサイクル品が複数ある場合は合計金額）に対する還元率により算出され、例えば還元率が１０パーセント（％）と設定されている場合には、価格（または合計金額）の１０％がポイント数として算出される。
【００２３】
次に、ステップＳ７において、ステップＳ６において演算されたポイント数が会員カードに付与され、書き込まれる。即ち、ＣＰＵ２１の制御下、会員カードのＩＣチップに記憶されている会員情報を構成する総ポイント数が、その総ポイント数に上記価格（リサイクル品が複数投入された場合には合計金額）に対応するポイント数を加算して得られた新たなポイント数によって更新される。
【００２４】
具体的には、まず、ＣＰＵ２１の制御下、会員カードリードライト制御部２５によって制御された会員カードリードライト部１４によって会員カード挿入部１３に挿入された会員カードのＩＣチップまたは磁気記録部から会員情報が読み取られる。この会員情報は、会員の会員ＩＤ、氏名、住所、連絡先等の個人情報と、これまでに獲得した総ポイント数等からなる。読み取られた会員情報はＣＰＵ２１に供給される。ＣＰＵ２１は、この会員情報を一旦ＲＡＭ２３に供給し、記憶させる。次に、その総ポイント数に上記価格（リサイクル品が複数投入された場合には合計金額）に対応するポイント数を加算して新たなポイント数を演算する。次に、会員カードリードライト制御部２５に対してこの新たなポイント数を供給するとともに、このポイント数で会員カードの総ポイント数を更新するよう指令する。この指令を受けた会員カードリードライト制御部２５は、ＣＰＵ２１より供給された新たなポイント数を会員カードリードライト部１４を制御して会員カードに総ポイント数として記録する。これにより、会員カードに記録されている総ポイント数が更新される。
【００２５】
次に、ステップＳ８においては、ＣＰＵ２１の制御により図示せぬ排出機構が駆動され、総ポイント数の更新がなされた会員カードが会員カード挿入部１３より排出される。その後、ステップＳ１に戻り、ステップＳ１以降の処理が繰り返し実行される。
【００２６】
以上説明したように、本実施の形態では、レジカウンターでポイントを付与せず、回収ボックス３１，４１，５１にリサイクル品１００を正しく投入して初めてポイントを付与するようにしたので、顧客はポイント欲しさに、自らリサイクル品１００を正しい回収ボックス３１，４１，５１に入れる。そのため、リサイクル品１００およびリサイクル品１００に貼付されたＲＦＩＤ１０１の回収率を上げることができるとともに、リサイクル品１００が、回収ボックス３１，４１，５１のうち、そのリサイクル品１００の分別の種類に対応するものにそれぞれ投入されるので、回収業者の分別作業における負担を軽減することができ、回収コストを削減することができる。
【００２７】
なお、商品情報を記録したＲＦＩＤ１０１をリサイクル品１００に貼付する他に、商品情報に対応するバーコードをリサイクル品１００に貼付または印刷することもできる。これにより、ＲＦＩＤ１０１が破損するなどしてＲＦＩＤ１０１に記録された商品情報を読み取ることができない場合でも、バーコードを読み取ることにより、リサイクル品１００の商品情報を取得することができる。
【００２８】
また、上記実施の形態においては、会員カードには総ポイント数が記録されるようにしたが、購入金額の合計を記録するようにしてもよい。また、上記実施の形態における会員カードは、ＩＣチップとアンテナからなるＲＦＩＤを有する構成としたが、磁気記録部を有する磁気カードとしてもよい。その場合、店内端末１１には、会員カードの磁気記録部に対して会員の個人情報や総ポイント数等の会員情報の読み取りおよび書き込みができるリードライト部を設けるようにする。
【００２９】
また、上記実施の形態の構成および動作は例であって、本発明の趣旨を逸脱しない範囲で適宜変更することができることは言うまでもない。
【図面の簡単な説明】
【００３０】
【図１】本発明のリサイクル品回収システムの一実施の形態の構成例を示す図である。
【図２】店内端末と回収ボックスの構成例を示すブロック図である。
【図３】店内端末の動作を説明するためのフローチャートである。
【符号の説明】
【００３１】
１１  店内端末
１２  表示部
１３  会員カード挿入部
１４  会員カードリードライト部
２０  制御部
２１  ＣＰＵ
２２  ＲＯＭ
２３  ＲＡＭ
２４  インタフェース
２５  会員カードリードライト制御部
２６  読取制御部
３１，４１，５１  回収ボックス（ＢＯＸ）
３２，４２，５２  リーダ
３３，４３，５３  蓋
１００  リサイクル品
１０１  ＲＦＩＤ
【図１】
2006016119.tif 000003
【図２】
2006016119.tif 000004
【図３】
2006016119.tif 000005